(57)【要約】本発明は、巻取りロールの巻取り速度を増加又は減少させるために捩りばねの弾性力が調整されるスクリーン又はシェードの巻取りロールの巻取り速度制御装置に関するもので、機械的摩擦の発生を防ぐことで操作性を向上させる。当該装置において、ウォームホイールは、巻取りシャフトの一端部を支持するシャフト支持部と一体に形成されると共に、アウターシェルの側面を仕切るストッパープレートに回転可能に接触する。また、アウターシェルの前側部分を外側へ向けて貫通する調整用メンバは、ウォームホイールに近接して水平に配置されると共に巻取りシャフトに対して垂直に配置される。さらに、ウォームホイールは、調整用メンバの中間部分に一体に形成されるウォームに噛合される。
2008517853.tif 000002
【特許請求の範囲】
【請求項１】
アウターシェルと、
前記アウターシェルの内側に取付けられる巻取りシャフトに巻付けられる捩りばねと、
前記巻取りシャフトの周囲に取付けられて前記捩りばねによって弾性的に回転する巻取りロールと、
シャフト支持部と一体に形成されて前記巻取りシャフトの一端部を支持するウォームホイールと、
前記ウォームホイールに噛合されて前記ウォームホイールの一端部が前記アウターシェルの側面を仕切るストッパープレートの内側に回転可能に接触するウォームと、
前記ウォームホイールに近接して水平に配置されると共に前記巻取りシャフトに対して垂直に配置されて、前端部が前記アウターシェルの前側部分を外側へ向けて貫通して、前記ウォームホイールに噛合される前記ウォームが長さ方向の中間部分に一体に形成される調整用メンバと、
によって構成されることを特徴とするスクリーン又はシェードの巻取りロールの巻取り速度制御装置。
【請求項２】
円形の挿入プレートが前記ウォームホイールの一端部から突出されると共に、挿入凹部が前記ストッパープレートの内側面の中央に形成されて、前記円形の挿入プレートが前記挿入凹部に挿入されることを特徴とする請求項１に記載のスクリーン又はシェードの巻取りロールの巻取り速度制御装置。
【請求項３】
前記ウォームホイールの案内側端部が縦固定プレートによって固定されて、前記縦固定プレートが、該縦固定プレートの中心に形成された開口部を挿通するシャフト支持部の外側面の周囲に嵌合されると共に、前記ストッパープレートの内側面から突出する支柱に当接されて前記縦固定プレートを貫通して前記支柱に螺合される固定ねじによって前記ストッパープレートに固定されることを特徴とする請求項１に記載のスクリーン又はシェードの巻取りロールの巻取り速度制御装置。
【請求項４】
環状溝が前記調整用メンバのセンタに位置する前記ウォームに近い側に対向して形成されて、前記縦固定プレートの内側面の上部から突出した２つの凸部が前記溝に係合されることを特徴とする請求項１又は３に記載のスクリーン又はシェードの巻取りロールの巻取り速度制御装置。
【請求項５】
ツール溝が前記調整用メンバの前端部に形成されることを特徴とする請求項１に記載のスクリーン又はシェードの巻取りロールの巻取り速度制御装置。
【請求項６】
ハンドグリップが前記調整用メンバの案内端部に付加的に取付けられることを特徴とする請求項１に記載のスクリーン又はシェードの巻取りロールの巻取り速度制御装置。
【発明の詳細な説明】
【技術分野】
【０００１】
本発明は、スクリーン又はシェードの巻取りロールの巻取り速度制御装置に関するもので、特に、スクリーン又はシェードを弾性的に巻取るためにアウターシェルに取付けられた巻取りロールの巻取り速度を制御するのに有用な装置に関する。
【０００２】
本出願は、２００５年５月６日に韓国特許庁に出願された韓国特許出願２００５−３８０８７号に基く優先権を主張し、開示した内容は本明細書に参照される。
【背景技術】
【０００３】
一般に、スクリーン又はシェードは、虫除け又は日除けの目的で窓又はドアに設置される。近年、捩りばねの弾性力によってシェード又はスクリーンが巻取りボックスに収容された巻取り軸の回りに弾性的に巻取られる又は引き出される巻取りロールを特徴とする自動巻取り式のシェード又はスクリーンが開発及び利用されている。
【０００４】
しかしながら、このような巻取りロールでは、捩りばねの弾性力が弱いと、シェード又はスクリーンの巻取りが遅すぎたり、あるいは、巻取りの最中にシェード又はスクリーンが止まってしまう。一方、捩りばねの弾性力が強いと、巻取りロールがスクリーン又はシェードを巻取る速度が速すぎて、巻取りボックスの中へ巻取られるスクリーン又はシェードの下端部のハンドルが、巻取りボックスに衝突することがある。このような衝突は、故障の発生率及び通常操作時の騒音を増大させる。
【０００５】
この問題を解決することを目的として、特許文献1が、この出願の前に出願及び公開されている。
【０００６】
図１に示されるように、特許文献１の発明では、虫除け網を巻取る巻取りシャフトが、ばねを巻取りボックス300の内側の網の巻取り方向へ作動させることにより生じる回転力によって操作される。また、ハウジング300は、当該ハウジング300の一側に相互に近接されて形成された開口部310（図２及び図３参照）とガイド溝311（図２及び図３参照）とを備えて、巻取りボックス200の上部に配置される。
ハウジング300は、当該ハウジング300に収容された巻取りシャフト210の上部を支持する固定穴410を有して、低い側に配置されて大きい円周を有するフラットギヤ420と高い側に配置されて小さい円周を有するラチェットギヤ430とが一体に形成されて構成される一体歯車400を備える。さらに、調整フラップ500が、ハウジング300のガイド溝311に取り付けられる。該調整フラップ500は、ラチェットギヤ430に噛合させるために当該ラチェットギヤ430に近接させたクリック止め510を備えると共に、突出部520がハウジング300の開口部310に配置される（図２及び図３参照）。さらに、板ばね600は、クリック止め510をラチェットギヤ430に噛合させるために、一端部がハウジング300の内側に固定されると共に他端部で調整フラップ500の端部を弾性支持している。
【０００７】
上述した窓の虫除け用スクリーンのばねを調整する装置では、図２に示されるように、ハウジング300の開口部310から突出した大きい円周のフラットギヤ420が時計回り方向へ回転すると、小さい円周のラチェットギヤ430が調整フラップ500のクリック止め510を押込むようにして回転する。この時点で、ばねは、大きい円周のフラット420が回転した分だけ当該ばねの弾性力が増加されて張った状態になる。
これにより、巻取りシャフト210の巻取り速度が増加して、虫除けネット110が急速に巻取られる。逆にいうと、図２及び図３に示されるように、開口部310に向けて突出した調整フラップ500が押されると、板ばね600が圧縮されて調整フラップ500のクリック止め510と小さい円周のラチェットギヤ430との噛合いが解除される。この時点で、大きい円周のフラットギヤ420が反時計回り方向へ回転して、ばねは、弾性力が減少した分だけ弛められる。これにより、巻取りシャフト210の巻取り速度が減少して、虫除けネット110が緩やかに巻取られる。
【０００８】
しかしながら、このような虫除けネット110のばねを調整する装置では、弾性力を増加させてばねを張って大きい円周のフラットギヤ420を時計回り方向へ回転させる場合、小さい円周のラチェットギヤ430を、調整フラップ500のクリック止め510との間で断続的な摩擦を受けさせながら回転させることになり、そのため、利用者が巻取りシャフト210の巻取り速度を速やかに増加させるのを妨げる。さらに、摩擦が繰返されて摩耗が促進されるため、構成部品の寿命が短縮されるだけでなく、騒音が発生する要因にもなる。
【０００９】
対照的に、弾性力を減少させてばねを弛めて調整フラップ500を押込んだ場合、クリック止め510と小さい円周のラチェットギヤ430との噛合いが解除されて、即座に、大きい円周のフラットギヤ420がばねの反力によって反時計回り方向へ回転する。該ばねは、弾性力を失って完全に弛み、そのため、利用者が巻取りシャフト２１０の巻取り速度を正確に減少させるのを妨げる。したがって、利用者は、弛んだばねを張るために大きい円周のフラットギヤ420を回転させるといった不便を我慢する必要がある。
【特許文献１】韓国特許  第０４３９６９３号（２００４年７月１２日登録）、発明の名称「虫の侵入を防ぐための窓の網に用いるばねの調整装置」
【発明の開示】
【発明が解決しようとする課題】
【００１０】
本発明は、先行技術の上述した問題を解決するためのものであって、その目的は、巻取りロールの巻取り速度を調整するウォームギヤの駆動によって捩りばねの弾性力を調整することで構成部品間で機械的な摩擦が発生しないようにした高い品質のスクリーン又はシェードの巻取りロールの巻取り速度制御装置を提供することにある。
【００１１】
本発明の他の目的は、巻取りロールの巻取り速度を調整するウォームギヤの駆動によって捩りばねの弾性力を調整することで操作性を大幅に向上させたスクリーン又はシェードの巻取りロールの巻取り速度装置を提供することにある。
【課題を解決するための手段】
【００１２】
上記目的を達成するための本発明の態様によれば、スクリーン又はシェードの巻取りロールの巻取り速度を制御するために規定された装置は、
アウターシェル；
アウターシェルの内側に取付けられる巻取りシャフトに巻付けられる捩りばね；
巻取りシャフトの周囲に取付けられて捩りばねによって弾性的に回転する巻取りロール；
シャフト支持部と一体に形成されて巻取りシャフトの一端部を支持するウォームホイール；
ウォームホイールに噛合されてウォームホイールの一端部がアウターシェルの側面を仕切るストッパープレートの内側に回転可能に接触するウォーム；
ウォームホイールに近接して水平に配置されると共に巻取りシャフトに対して垂直に配置されて、前端部がアウターシェルの前側部分を外側へ向けて貫通して、ウォームホイールに噛合されるウォームが長さ方向の中間部分に一体に形成される調整用メンバ；
を含む。
【発明の効果】
【００１３】
本発明では、捩りばねの弾性力がウォームギヤによって調整されて巻取りロールの巻取り速度が増減される。本発明によれば、利用者は、巻取りロールの巻取り速度を迅速に、静かに、より便利に調整することが可能になり、且つ装置の寿命が延長される。
【発明を実施するための最良の形態】
【００１４】
本発明において、スクリーン又はシェードの巻取りロールの巻取り速度を制御するための規定された装置は、
アウターシェル；
アウターシェルの内側に取付けられる巻取りシャフトに巻付けられる捩りばね；
捩りばねによって弾性的に回転するために巻取りシャフトの周囲に取付けられる巻取りロール；
シャフト支持部と一体に形成されて、巻取りシャフトの端部を支持するウォームホイール；
ウォームホイールの端部がアウターシェルの側面を仕切るストッパープレートの内側に回転可能に接触するウォームホイールに噛合されるウォーム；
ウォームホイールに向けて突出して水平に配置されると共に巻取りシャフトに対して垂直に配置されて、前端部がアウターシェルの前側部分を外側へ向けて挿通されて、長さ方向の中間部分にウォームホイールに噛合されるウォームが一体に形成される調整用メンバ；
を含む。
[本発明の態様]
【００１５】
本発明のスクリーン又はシェードの巻取りロールの巻取り速度制御装置は、その技術思想を、巻取りシャフト３の回りに弾性的に回転させた巻取りロール２の巻取り速度が、アウターシェル１の内側に取付けられた巻取りシャフト３に巻付けられた捩りばねＢを用いて制御される点で、従来技術と共用する。
【００１６】
以上の特徴に加えて、図４〜図６に示されるように、本発明のスクリーン又はシェードの巻取りロールの巻取り速度制御装置は、以下の独自の特徴を有する。ウォームホイール５は、巻取りシャフト３の一端部を支持するシャフト支持部４と一体に形成されて、ウォームホイール５の一端部は、アウターシェル１の側面を仕切るストッパープレート８の内側に回転可能に接触される。加えて、調整用メンバ７は、ウォームホイール５に近接して水平に配置されると共に巻取りシャフト３に対して垂直に配置されて、前端部がアウターシェル１の前側部分を外側へ向けて貫通して、当該調整用メンバ７の長さ方向の中間部分に一体に形成されたウォーム６がウォームホイール５に噛合される。
【００１７】
本発明の態様の望ましい基本構成は、内側の空間にウィンドスクリーン又はシェードＡを巻取る又は引き出すための巻取りロール２が収容されるアウターメンバ１、巻取りロール２と捩りばねＢとを弾性的に回転させる巻取りシャフト３、を含む。これらの基本構成は先行技術と同一の構成であるため、その詳細な説明を省略する。したがって、以下、本発明の技術思想を含む、シャフト支持部４、ウォーム６、ウォームホイール５、調整用メンバ７、並びにストッパープレート８を中心に説明する。
【００１８】
図４及び図５に示されるように、シャフト支持部４は、断面に一対のキー溝４１を有する固定穴４２を備えた円筒体からなる。巻取りシャフト３の一対のキー３１を有する一端部は、シャフト支持部４のキー溝４１を有する固定穴４２に挿通されてシャフト支持部４に挿入される。
【００１９】
図４〜図６に示されるように、ウォームホイール５は、円筒体の円周面の回りに形成されたギヤ歯５１を備えると共にシャフト支持部４よりも大きい円周を有しており、アウターシェル１の一端部を仕切るストッパープレート８に回転可能に接触される。ウォーム６においても、その円周面の回りに、巻取りシャフト３に対して垂直に配置された調整用メンバ７の長さ方向の中間位置に、ギヤ歯６１を備える。
そして、ウォーム６のギヤ歯６１は、ウォームホイール５のギヤ歯５１に噛合される。ここで、調整用メンバ７は、アウターシェル１の前側部分に形成された開口部１１を外側へ向けて貫通した一端部によって、操作が可能である。調整用メンバ７が、アウターシェル１の前側部分に形成された開口部１１を外側へ向けて貫通した一端部によって操作されると、ウォーム６に係合されたウォームホイール５が、当該ウォームホイール５と一体に形成されたシャフト支持部４によって支持された巻取りシャフト３を回転させて、その結果、捩りばねＢの弾性力が調整される。
【００２０】
加えて、円形の挿入プレート５２がウォームホイール５の一端部から突出すると共に、挿入凹部８１がアウターシェル１の一側を仕切るストッパープレート８の内側面の中央に形成される。ウォームホイール５の円形の挿入プレート５２は、シャフト支持部４と巻取りシャフト３とがウォームホイール５と共に自由に回転するように、ストッパープレート８の挿入凹部８１に係合される。ここで、ストッパープレート８は、ストッパープレート８の上部と下部とに形成された穴８２を挿通させた複数本の固定ねじ８３によってアウターシェル１の一端部に固定される。
【００２１】
加えて、以下であることが望ましい、ウォームホイール５の案内側端部が縦固定プレート９によって固定されて、該縦固定プレート９が、当該縦固定プレート９の中心に形成された開口部を貫通するシャフト支持部４の外側面の周囲に嵌合されると共に、ストッパープレート８の内側面から突出する支柱８４に当接されて縦固定プレート９を貫通して支柱８４に螺合される固定ねじ９２によってストッパープレート８に固定されて、これにより、ウォームホイール５は、自由で且つあそびがない安定した回転が可能になる。
【００２２】
さらに、ウォーム６の上端部は、ストッパープレート８の上部から側方へ突出した固定フラップ８５によって固定されると共に、縦固定プレート９の上端部に形成された凹部９３に係合されて、これにより、調整用メンバ７とウォーム６とは、自由で且つあそびがない安定した回転が可能になる。
【００２３】
ここで、以下であることが望ましい、環状溝７１が調整用メンバ７のセンタに位置するウォーム６に近い側に対向して形成されて、縦固定プレート９の内側面の上部から突出した凸部９４が調整用メンバ７の溝７１に係合されて、これにより、ウォーム６は、前後移動がない精密な回転が可能になる。
【００２４】
好適な態様を以下に例示する。ドライバのようなツールによって調整用メンバ７の操作が可能なように、ツール溝７２が調整用メンバ７の前端部に形成される。必要であれば、図９に示されるように、調整用メンバ７を手動操作するのに便利なハンドグリップ７３を調整用メンバ７の前端部に取付けることができる。
【００２５】
次に、スクリーン又はシェードの巻取りロールの巻取り速度制御装置の操作を以下に説明する。
通常、巻取りシャフト３は、捩りばねＢの弾性力によって巻戻される側へ付勢されている。しかしながら、巻取りシャフト３と一体のシャフト支持部４と一体に形成されたウォームホイール５が調整用メンバ７の中間部分に一体に形成されたウォーム６に噛合されていることから、巻取りシャフト３は、巻取り動作が阻止されてその位置が維持される。
【００２６】
図７に示されるように、一端部がアウターシェル１の前側部分を貫通した調整用メンバ７が反時計回り方向へ回転されると、調整用メンバ７と一体のウォーム６が反時計回り方向へ回転される。その結果、ウォーム６に噛合されたウォームホイール５が正回転されて、これに伴い、ウォームホイール５に結合された巻取りシャフト３が正回転される。その結果、捩りばねＢの弾性力が増加して、その増加分だけ、巻取りロール２の巻取り速度が増加してスクリーン又はシェードがより速い巻取り速度で巻取られる。
【００２７】
その逆に、図８に示されるように、一端部がアウターシェル１の前側部分を貫通した調整用メンバ７が時計回り方向へ回転されると、調整用メンバ７と一体のウォーム６が時計回り方向へ回転されて、その結果、ウォーム６に噛合されたウォームホイール５が逆回転される。結果的に、ウォームホイール５と一体に形成されたシャフト支持部４と結合された巻取りシャフト３が逆回転されて、それによって、捩りばねＢの弾性力が減少する。その結果、捩りばねＢの弾性力が減少して、その減少分だけ、巻取りロール２の巻取り速度が減少して、その結果、スクリーン又はシェードが緩やかに巻取られる。
【００２８】
本発明によれば、スクリーン又はシェードの巻取りロール２の巻取り速度制御装置は、ウォーム６及びウォームホイール５に連動する巻取りシャフト３を回転させて捩りばねＢの弾性力を調整することにより、巻取りロール２の巻取り速度が増加又は減少される構造になっている。本発明は、捩りばねＢの弾性力の調整時における機械的摩擦又は騒音を防止して、利用者は、巻取りロールの巻取り速度を迅速に、静かに、より簡単に調整することが可能になり、且つ装置の寿命が延長される。さらに、利用者は、捩りばねＢの弾性力を精密且つ微細に調整することが可能になり、その結果、巻取りロール２の速度調整が適切に実施される。
【００２９】
好ましい態様を参照して本発明を説明したが、請求の範囲に定義した発明の精神と範囲内で、改良・改変ができることは当業者に明らかである。
[本発明の態様]
本発明では、捩りばねの弾性力をウォームギヤによって調整することにより、巻取りロールの巻取り速度を増加又は減少させる。その結果、本発明は、装置の寿命を延長させると同時に、利用者は、巻取りロールの巻取り速度を迅速、静かに、且つより便利に調整することが可能になる。
【図面の簡単な説明】
【００３０】
【図１】従来の虫除け網のための調整ばねを用いた装置の主要部の斜視図である。
【図２】従来の虫除け網のための調整ばねを用いた装置の動作説明図である。
【図３】従来の虫除け網のための調整ばねを用いた装置の動作説明図である。
【図４】本発明のスクリーン又はシェードの巻取りロールの巻取り速度制御装置を説明する分解斜視図である。
【図５】本発明のスクリーン又はシェードの巻取りロールの巻取り速度制御装置を正面から見た時の断面図である。
【図６】本発明のスクリーン又はシェードの巻取りロールの巻取り速度制御装置を側面から見た時の断面図である。
【図７】本発明のスクリーン又はシェードの巻取り速度制御装置の操作を説明する長手方向縦断面図である。
【図８】本発明のスクリーン又はシェードの巻取り速度制御装置の操作を説明する長手方向縦断面図である。
【図９】本発明のスクリーン又はシェードの巻取り速度制御装置の他の実施形態を説明する部分切欠平面図である。
【符号の説明】
【００３１】
１  アウターシェル、２  巻取りロール、３、  巻取りシャフト、４  シャフト支持部、５  ウォームホイール、６  ウォーム、７  調整用メンバ、８  ストッパープレート、９  縦固定プレート
【図１】
2008517853.tif 000003
【図２】
2008517853.tif 000004
【図３】
2008517853.tif 000005
【図４】
2008517853.tif 000006
【図５】
2008517853.tif 000007
【図６】
2008517853.tif 000008
【図７】
2008517853.tif 000009
【図８】
2008517853.tif 000010
【図９】
2008517853.tif 000011
【国際調査報告】
2008517853.tif 000012
2008517853.tif 000013